(57)【要約】【課題】日時や日時期間の指定によって検索を行なったり、最新のＷＥＢページで削除されてしまった単語を用いて所望のＷＥＢページをインターネットから読み出すことが可能なＷＷＷ情報検索方法を提供する。【解決手段】情報収集サーバ１１５が、一定時間毎にＷＥＢページ１０４を取得し、データベース１１１に保存する際、ＷＥＢページがインターネット上に掲載された日時やＷＥＢページを閲覧した日時などの時間情報が付属情報として保存される。ユーザ端末１０２が日時／日時期間指定１０６を指定してデータベースを検索すると、それに適合した付属情報を有するＷＥＢページが呼び出される。また、最新のＷＥＢページで削除されていてもデータベース内の古いＷＥＢページ内に記載されている単語を用いて検索したＷＥＢページと同じＵＲＬを有するインターネット上のＷＥＢページにアクセスすることによって所望のＷＥＢページの検索が可能である。【選択図】　　　　図１
2004021900.tif 000002
【特許請求の範囲】
【請求項１】
インターネット上のＷＥＢページをこれが更新される都度取得してその更新日時情報と共にデータベースに保存し、該データベースに保存されたＷＥＢページを日時または日時期間の指定によって検索できるようにしたことを特徴とするＷＷＷ情報検索システム。
【請求項２】
前記ＷＥＢページを前記データベースに保存する際に、前記ＷＥＢページがインターネット上に掲載された日時あるいは／および前記ＷＥＢページが前記データベースに保存される日時が、前記ＷＥＢページの付属情報として保存されることを特徴とする請求項１に記載のＷＷＷ情報検索システム。
【請求項３】
前記データベースに保存されているＷＥＢページの保存継続期間を制限するための制限候補日時を設定し、該制限候補日時以前にインターネットに記載されていたＷＥＢページあるいは該制限候補日時以前に前記データベースに保存されてしまっているＷＥＢページを、前記データベースから削除する削除処理を行うことを特徴とする請求項１または２に記載のＷＷＷ情報検索システム。
【請求項４】
前記データベースに保存されたＷＥＢページにはその重要性に応じて重要度が設定され、該ＷＥＢページがその重要度情報と共に保存されていることを特徴とする請求項１から３のいずれかに記載のＷＷＷ情報検索システム。
【請求項５】
インターネット上のＷＥＢページを取得してデータベースに保存し、該データベースに保存されたＷＥＢページを検索するＷＷＷ情報検索システムであって、前記取得されたＷＥＢページの重要性に応じて重要度が設定されることを特徴とするＷＷＷ情報検索システム。
【請求項６】
インターネット上の最新のＷＥＢページをデータベースに保存する際に、前記最新のＷＥＢページと、前記最新のＷＥＢページと同一のＵＲＬ（Ｕｎｉｆｏｒｍ　Ｒｅｓｏｕｒｃｅ　Ｌｏｃａｔｏｒ）を有して前記データベース内に保存されている最も新しいＷＥＢページとの間の変更量の程度に応じて、前記最新のＷＥＢページおよび前記データベース内に保存されている最も新しいＷＥＢページの重要度を、前記データベース内に保存されている最も新しいＷＥＢページに既に付されている重要度よりも高く設定する少なくとも１つのしきい値を備えていることを特徴とする請求項４または５に記載のＷＷＷ情報検索システム。
【請求項７】
前記データベースに保存されているＷＥＢページの削除を、前記重要度の低い順に前記データベースから削除する削除処理を行うことを特徴とする請求項４から６のいずれかに記載のＷＷＷ情報検索システム。
【請求項８】
データベースに保存するＷＥＢページの容量を制限する容量制限値を設定し、前記削除処理を、前記データベースに残されるＷＥＢページの容量が前記容量制限値以下になるまで行なうことを特徴とする請求項７に記載のＷＷＷ情報検索システム。
【請求項９】
インターネット上のＷＥＢページを取得してデータベースに保存し、該データベースに保存されたＷＥＢページを検索するＷＷＷ（Ｗｏｒｌｄ　Ｗｉｄｅ　Ｗｅｂ）情報検索方法であって、少なくとも日時または日時期間の指定によって検索を行なうことを特徴とするＷＷＷ情報検索方法。
【請求項１０】
前記ＷＥＢページを前記データベースに保存する際に、前記ＷＥＢページが前記インターネット上に掲載された日時あるいは／および前記ＷＥＢページが前記データベースに保存された日時が、前記ＷＥＢページの付属情報として保存され、前記日時または日時期間の指定が、前記付属情報に基づいてなされることを特徴とする請求項９に記載のＷＷＷ情報検索方法。
【請求項１１】
前記データベースに保存されたＷＥＢページにはその重要性に応じて重要度が設定され、前記データベースに保存されたＷＥＢページに設定された重要度の順に、該ＷＥＢページが検索されることを特徴とする請求項９または１０に記載のＷＷＷ情報検索方法。
【請求項１２】
前記保存されたＷＥＢページに記載されているキーワードを用いて、前記保存されたＷＥＢページの検索が可能であることを特徴とする請求項９から１１のいずれかに記載のＷＷＷ情報検索方法。
【請求項１３】
前記日時もしくは日時期間の指定、および／または、前記キーワードによって前記データベースから検索されたＷＥＢページと同じＵＲＬを有するインターネット上のＷＥＢページにアクセスすることを特徴とする請求項１２に記載のＷＷＷ情報検索方法。
【請求項１４】
前記検索を行なう検索手段がインターネットを介して前記データベースにアクセスすることによって前記検索がなされることを特徴とする請求項９から１３のいずれかに記載のＷＷＷ情報検索方法。
【請求項１５】
前記検索を行なう検索手段がインターネットを介することなく前記データベースにアクセスすることを特徴とする請求項９から１３のいずれかに記載のＷＷＷ情報検索方法。
【発明の詳細な説明】
【０００１】
【発明の属する技術分野】
本発明は、ＷＷＷ情報検索システムおよびＷＷＷ情報検索方法に関し、特に、時間とともに変化するＷＥＢページに対して情報検索を可能とするＷＷＷ情報検索システムおよびＷＷＷ情報検索方法に関するものである。
【０００２】
【従来の技術】
今日、インターネットは広く世界中で利用されている。ＷＷＷ（Ｗｏｒｌｄ　Ｗｉｄｅ　Ｗｅｂ）では、ＨＴＴＰ（Ｈｙｐｅｒｔｅｘｔ　Ｔｒａｎｓｆｅｒ　Ｐｒｏｔｏｃｏｌ）を用いることによって、利用者が簡単にインターネットにアクセスできる環境が提供されている。このため、インターネット上で公開されるＷＥＢページの情報を検索する検索技術および検索システムの開発が進められている。
【０００３】
【発明が解決しようとする課題】
しかしながら、上述のＷＷＷ情報検索システムは、今日までのところ、ＷＥＢページの特質を反映したものにはなっていないという問題点を有している。
ＷＥＢページの情報は、時間とともに更新される。更新の反映の即時性は、ＷＥＢページの重要な特徴であるが、同時に、過去の情報が、短期間に更新、削除されてしまう。しかしながら、更新されてしまって現在のＷＥＢページには既に存在しなくなっている情報であっても、現在でも必要とされることは多々あることである。
今日のＷＷＷ情報検索システムにおいて、新しいページ、更新されたページに追従する努力、より多くのページを検索対象に追加する努力は行われている。しかしながら、これは、時間的に見ると最新の面を対象にしているに過ぎず、時間的な厚みを持っていない。例えば、トップページが変更されたため、過去には目的のページを見つけることができたキーワードで、現在ではそのページを見つけることができないということが発生する。また、たとえ過去のページやキーワードが蓄積されていたとしても、それらの重要度が判定されていなければ、重要な情報であっても、時間の経過とともに削除されてしまう。
【０００４】
本発明はこれらの課題に鑑みてなされたものであって、その目的は、更新されてしまって現在は存在しなかったり、削除されてしまっているＷＥＢページでも日時指定によって検索・閲覧が可能であり、また、最新のＷＥＢページでは削除されてしまっている単語でも、以前のＷＥＢページに記載されていた単語をキーワードとして所望のページをインターネット上で閲覧することが可能であるＷＷＷ情報検索システムとＷＷＷ情報検索方法を提供することである。また、重要度を考慮してデータ保存の可否が決定されるＷＷＷ情報検索システムを提供することである。
【０００５】
【課題を解決するための手段】
上記の目的を達成するため、本発明によれば、インターネット上のＷＥＢページをこれが更新される都度取得してその更新日時情報と共にデータベースに保存し、該データベースに保存されたＷＥＢページを日時または日時期間の指定によって検索できるようにしたことを特徴とするＷＷＷ情報検索システム、が提供される。
また、上記の目的を達成するため、本発明によれば、インターネット上のＷＥＢページを取得してデータベースに保存し、該データベースに保存されたＷＥＢページを検索するＷＷＷ情報検索方法であって、前記取得されたＷＥＢページの重要性に応じて重要度が設定されることを特徴とするＷＷＷ情報検索システム、が提供される。
【０００６】
また、上記の目的を達成するため、本発明によれば、インターネット上のＷＥＢページを取得してデータベースに保存し、該データベースに保存されたＷＥＢページを検索するＷＷＷ（Ｗｏｒｌｄ　Ｗｉｄｅ　Ｗｅｂ）情報検索方法であって、少なくとも日時または日時期間の指定によって検索を行なうことを特徴とするＷＷＷ情報検索方法、が提供される。
【０００７】
【発明の実施の形態】
次に、本発明の実施の形態について図面を参照して詳細に説明する。
〔第１の実施の形態〕
図１は、本発明の第１の実施の形態に係るＷＷＷ情報検索システムの構成ブロック図である。図１に示すように、本実施の形態に係るＷＷＷ情報検索システムは、データベース１１１とＷＥＢサーバ１１３と情報収集サーバ１１５とを備えたＷＥＢページ保存手段１０１、ＷＥＢブラウザ１２１とキーワード設定手段１２２と日時／日時期間設定手段１２３とを備えたユーザ端末１０２、を有している。
【０００８】
情報収集サーバ１１５は、インターネット１０３上で、ある一定期間ごとにＷＥＢページ１０４を取得し、データベース１１１に保存する。保存に際して、ＷＥＢページ１０４に関する情報、特に、ＷＥＢページがインターネット上に掲載された日時、ＷＥＢページを閲覧した日時などの時間情報が付属情報として保存される。また、新しく保存するＷＥＢページには、あらかじめ設定した基準にしたがって定められている重要度が付される。新しく保存するＷＥＢページと同じＵＲＬ（Ｕｎｉｆｏｒｍ　Ｒｅｓｏｕｒｃｅ　Ｌｏｃａｔｏｒ）を有する１世代前のＷＥＢページがデータベース１１１に以前から保存されている場合には、新しく保存するＷＥＢページと１世代前のＷＥＢページとの比較を行ない、両者の間の変更量が所定のしきい値を超えると、現在のＷＥＢページとその１世代前のＷＥＢページとの両方の重要度を、１世代前のＷＥＢページの重要度より高くする。このしきい値は一個とは限らず、変更量が非常に多い場合には重要度を２段階以上高くするように、複数のしきい値が設定されていてもよい。
データベース１１１に蓄積されるＷＥＢページには、時間的および容量的な制限が設けられる。ＷＥＢページがそれらの制限に達した場合には、重要度の低いＷＥＢページから削除される。重要度の同じＷＥＢページは、古いものから削除される。
【０００９】
ユーザ端末１０２は、ＷＥＢブラウザ１２１を利用しインターネット１０３を介してＷＥＢサーバ１１３にアクセスし、キーワード設定手段１２２によって設定されたキーワード１０５あるいは／および日時／期間設定手段１２３によって設定された日時／日時期間指定１０６に適合したＷＥＢページをデータベース１１１から検索し、検索結果１０７として、データベース１１１中に保存されているＷＥＢページを得ることができる。日時／日時期間指定１０６によって日時や日時期間を指定することによって、その日時や日時期間に適合するインターネット上に掲載された日時やＷＥＢページを閲覧した日時を有するＷＥＢページが検索される。その際、重要度の高いＷＥＢページ順に優先的に検索することにより、ユーザが効率的に所望の情報を得ることのできる検索が可能になる。また、優先度をつけずに、データベース１１１中に保存されている過去の全てのＷＥＢページから検索することも可能である。
【００１０】
ユーザ端末１０２は、また、キーワード設定手段１２２によって設定されたキーワード１０５に適合したＷＥＢページ１０４をインターネット１０３から直接取得することも可能である。さらに、ユーザ端末１０２は、過去に閲覧したＷＥＢページにあった単語をキーワードとして、そのＷＥＢページをＷＥＢサーバ１１３を介してデータベース１１１から検索することができるし、また、検索されたＷＥＢページと同じＵＲＬを有するＷＥＢページをインターネット１０３から読み込むことにより、インターネット上の最新のＷＥＢページ１０４を得ることも可能である。
データベース１１１は、ＷＥＢページの時間的な変化を保存しているため、ＷＥＢページのライブラリとして活用可能である。
【００１１】
図２は、図１のデータベース内のデータ構造図である。図２に示すように、データベース内には、各ＵＲＬ毎のＷＥＢページが、最新▲１▼、１世代前▲２▼、２世代前▲３▼、３世代前▲４▼、等というように保存されている。この世代は、そのＷＥＢページの更新にともなって、１世代上げられる。
【００１２】
図３は、図１のデータベースへのＷＥＢページの保存処理を説明するためのフローチャートである。
まず、図１の情報収集サーバ１１５が、インターネット１０３から、保存対象としているＷＥＢページ１０４（図２の▲１▼）を取得する（ステップＡ１）。次に、取得したＷＥＢページ１０４の１世代前のＷＥＢページ（図２の▲２▼）をデータベース１１１から呼び出す（ステップＡ２）。次いで、取得したＷＥＢページ１０４とその１世代前のＷＥＢページとの間に変更があるか否かを判定し（ステップＡ３）、変更がない場合には終了する。ステップＡ３で変更がある場合には、変更量を算出する（ステップＡ４）。次に、変更量が、あらかじめ定められている１個以上のしきい値のいずれかを超えたかが判定される（ステップＡ５）。変更量がいずれかのしきい値を超えた場合には、取得したＷＥＢページ（図２の▲１▼）と１世代前のＷＥＢページ（図２の▲２▼）の重要度を、１世代前のＷＥＢページのこれまでの重要度よりも高くする（ステップＡ６）。大幅に変更がある場合には、最新のＷＥＢページに、１世代前のＷＥＢページ上の多くの情報が失われているから、１世代前のＷＥＢページの保存の必要性が高くなるからである。ステップＡ５で変更量がいずれのしきい値をも超えない場合には、取得したＷＥＢページ（図２の▲１▼）だけの重要度を、その内容の重要性を考慮して設定する（ステップＡ７）。その際、１世代前およびそれ以前のＷＥＢページは、その重要度が改めて設定し直されてもよい。この重要度は、あらかじめ設定した基準にしたがって決められており、ＷＥＢページは、この重要度によって複数のグループに分類される。これまで保存されていたＷＥＢページの世代を１世代上げ、取得したＷＥＢページを１世代前のＷＥＢページとして、その付属情報とともに、データベース１１１に保存し（ステップＡ８）、このＷＥＢページの保存を終了する。以上の処理を保存対象となっている全ＷＥＢページについて実行する。
以上の処理を一定時間ごとに実行し、データベース１１１にＷＥＢページを蓄積していく。
【００１３】
図１のユーザ端末１０２は、ＷＥＢブラウザ１２１を使用し、ＷＥＢサーバ１１３を介してデータベース１１１を検索する。ＷＥＢサーバ１１３には検索ページがあり、一般的な検索ページと同様のキーワード１０５あるいは／および本システム特有の日時／日時期間指定１０６を設定し、検索を行うことが可能である。検索は、重要度の高いグループ順に、キーワード１０５あるいは／および日時／日時期間指定１０６の設定に合うＷＥＢページを抽出して、検索結果１０７を得る。検索結果１０７からデータベース１１１に保存されているＷＥＢページを閲覧可能であるとともに、検索されたＷＥＢページと同じＵＲＬを有する現在のＷＥＢページ１０４をインターネット１０３で閲覧可能である。これによって、最新のＷＥＢページでは削除されていても以前のＷＥＢページに記載されていた単語をキーワードとして所望のＷＥＢページをインターネット上で閲覧することが可能である。
【００１４】
データベース１１１には容量制限があり、時間の経過とともに古いデータ（ＷＥＢページ）を削除する必要がある。
図４は、図１のデータベース１１１からのデータの削除処理を説明するためのフローチャートである。
まず、削除のための制限日時を設定する（ステップＢ１）。次に、削除中間候補として、データベース内で最も重要度の低いグループのＷＥＢページを設定する（ステップＢ２）。次いで、削除中間候補のグループの中で最も古いデータを削除候補とする（ステップＢ３）。ここで、データの古さは、そのデータに付属情報として付されているインターネット上に掲載された日時やデータベースに保存された日時によって決められる。続いて、削除候補のデータが制限日時より古いデータであるか否かが判定される（ステップＢ４）。制限日時より古いデータでない場合には、ステップＢ７に進む。制限日時より古いデータである場合には、削除候補のデータを削除中間候補から削除して、残った削除中間候補を新しい削除中間候補に更新し、さらに、削除候補のデータをデータベースからも削除する（ステップＢ５）。次に、データベースに残ったデータが、容量制限を超えているか否かが判定される（ステップＢ６）。容量制限を超えていなければ、データの削除処理を終了する。容量制限を超えていれば、ステップＢ３に戻ってステップＢ３〜Ｂ６を繰り返し、データベースに残ったデータが容量制限を超えなくなった時点で、データの削除処理を終了する。ステップＢ４において、削除候補のデータが制限日時より古いデータでない場合には、削除候補のデータの重要度が最も高い重要度であるか否かが判定される（ステップＢ７）。最も高い重要度でない場合には、削除中間候補として、重要度の１つ高いグループを設定する（ステップＢ８）。次に、ステップＢ３に戻って、上述のステップＢ３〜Ｂ６の処理を行い、データベースに残ったデータが容量制限を超えなくなった時点で、データの削除処理を終了する。ステップＢ７において、削除候補のデータの重要度が最も高い重要度である場合には、ステップＢ１に戻って制限日時を設定し直して、上述のステップＢ２〜Ｂ６等の処理を行い、データベースに残ったデータが容量制限を超えなくなった時点で、データの削除処理を終了する。
【００１５】
〔第２の実施の形態〕
図５は、本発明の第２の実施の形態に係るＷＷＷ情報検索システムの構成ブロック図である。本実施の形態に係るＷＷＷ情報検索システムは、個人で使用するパーソナルシステムとして適用されるものである。
図５に示すように、本実施の形態に係るＷＷＷ情報検索システムは、個人で使用するパーソナルコンピュータ３０９内に、必要なソフトウエア群をインストールすることによって実現される。使用者は、ＷＥＢブラウザ３２１を使用してインターネット３０３上のＷＥＢページ３０４を閲覧する。その際、ＷＥＢページ３０４は、ネットワークアクセスソフト３３３を介して閲覧されるが、同時にデータベース３１１にも保存される。使用者がデータベース３１１内のＷＥＢページを検索するときは、検索ソフト３３２にキーワード３０５あるいは／および以前の閲覧日時やインターネットへの掲載日時などを指定する日時／日時期間指定３０６を渡し、検索結果３０７として、目的のＷＥＢページを得る。このような構成によって、第１の実施の形態と同様に、インターネット上で更新されてしまって現在は存在しなかったり、削除されてしまっているＷＥＢページでも、日時や日時期間を指定することによって、保存されたＷＥＢページから検索し閲覧することが可能である。また、前記の日時や日時期間の指定、あるいは、キーワードによってデータベースから所望のＷＥＢページを読み出した後、そのＷＥＢページと同じＵＲＬを有するインターネット上の最新のＷＥＢページをインターネット上で閲覧することも可能である。また、第１の実施の形態と同様に、各ＷＥＢページに重要度を設定することも可能である。その場合には、第１の実施の形態の図４に示すデータ削除のフローチャートと同様の処理によって古いデータを削除することによって、容量制限を行なうことができる。
このシステムは、回線３４１が切断されていても、データベース３１１をキャッシュシステムとして使用することによって、以前にアクセスしたデータベース３１１内のＷＥＢページを閲覧することが可能である。
【００１６】
本実施の形態に係るＷＷＷ情報検索システムは、イントラネットにおけるシステムとして適用することも可能である。小規模なイントラネットに閉じたシステムでは、１個あるいは複数のデータベースをイントラネット全体のパーソナルコンピュータで共有することによりこのデータベースをバックアップとして使用可能であり、個々のパーソナルコンピュータごとにバックアップを行う必要が無くなる。
【００１７】
【発明の効果】
以上説明したように、本発明に係るＷＷＷ情報検索方法は、インターネットからＷＥＢページを保存する際に、そのＷＥＢページがインターネット上に掲載された日時や保存する日時を付属情報とするものであるから、それらの日時や日時期間を指定することによって、保存されたＷＥＢページを検索し閲覧することが可能である。
【００１８】
また、本発明に係るＷＷＷ情報検索方法は、キーワードによってデータベースから検索されたＷＥＢページと同じＵＲＬを有するインターネット上の最新のＷＥＢページにアクセスするものであるから、最新のＷＥＢページでは削除されていても以前のＷＥＢページに記載されていた単語をキーワードとして所望のＷＥＢページをインターネット上で閲覧することが可能である。
【００１９】
また、本発明に係るＷＷＷ情報検索方法は、インターネット上のＷＥＢページが更新される度に、そのＷＥＢページを、それ以前に保存されている同じＵＲＬのＷＥＢページと関連付けて保存するものであるから、ＷＥＢページを世代を追ってライブラリ化可能である。
【図面の簡単な説明】
【図１】本発明の第１の実施の形態に係るＷＷＷ情報検索システムの構成ブロック図。
【図２】図１のデータベース内のデータ構造図。
【図３】図１のデータベースへのＷＥＢページの保存処理を説明するためのフローチャート
【図４】図１のデータベースからのデータの削除処理を説明するためのフローチャート。
【図５】本発明の第２の実施の形態に係るＷＷＷ情報検索システムの構成ブロック図。
【符号の説明】
１０１　ＷＥＢページ保存手段
１０２　ユーザ端末
１０３、３０３　インターネット
１０４、３０４　ＷＥＢページ
１０５、３０５　キーワード
１０６、３０６　日時／日時期間指定
１０７、３０７　検索結果
１１１、３１１　データベース
１１３　ＷＥＢサーバ
１１５　情報収集サーバ
１２１、３２１　ＷＥＢブラウザ
１２２　キーワード設定手段
１２３　日時／日時期間設定手段
３０９　パーソナルコンピュータ
３３２　検索ソフト
３３３　ネットワークアクセスソフト
【図１】
2004021900.tif 000003
【図２】
2004021900.tif 000004
【図３】
2004021900.tif 000005
【図４】
2004021900.tif 000006
【図５】
2004021900.tif 000007